(57)【要約】【課題】原稿の置き忘れをコピー作業を行った者により確実に知らせる。【解決手段】キーカードに記録されたユーザＩＤを読み取るカード読み取り装置４０と、読み取ったユーザＩＤを基に、ユーザテーブルを参照し、ユーザを特定するユーザ情報受付部１１１と、スタートボタンが押されたことを受けてスキャナ部２００にスキャニングを実行させるスキャニング実行部１１２と、コピー作業の終了を判定し、所定時間経過後に、再スキャンを実行する再スキャニング部１１３と、最終原稿画像と再スキャン画像との特徴情報を抽出する特徴情報抽出部１１４と、抽出された両特徴情報から最終原稿画像及び再スキャン画像の同一性の判定を行う判定部１１５と、ユーザに原稿の置き忘れを報知する報知部１１６とを備える。【選択図】      図３
2005051402.tif 000002
【特許請求の範囲】
【請求項１】
原稿載置部に載置された原稿を読み取るスキャナ部を備える画像読み取り装置であって、
前記原稿載置部に原稿を載置したユーザに関する情報であるユーザ情報の入力を受け付けるユーザ情報受付手段と、
前記ユーザ情報受付手段により前記ユーザ情報が受け付けられた後、前記原稿載置部に載置されている原稿を前記スキャナ部に読み取らせ、第１の原稿画像を取得するスキャニング実行手段と、
前記第１の原稿画像から、当該画像の特徴を示す第１の特徴情報を抽出する第１の特徴情報抽出手段と、
前記第１の特徴情報と、前記ユーザ情報受付手段によって受け付けられたユーザ情報とを対応付けて記憶する記憶手段と、
前記スキャニング実行手段による読み取りが終了し、所定時間経過時に前記原稿載置部に載置されている原稿を前記スキャナ部に読み取らせ、第２の原稿画像を取得する再スキャニング手段と、
前記第２の原稿画像から、当該画像の特徴を示す第２の特徴情報を抽出する第２の特徴情報抽出手段と、
前記第１の特徴情報と前記第２の特徴情報とに基づいて、前記第１の原稿画像と前記第２の原稿画像との同一性を判定する判定手段と、
前記判定手段により同一性があると判定された場合、前記第１の特徴情報に対応づけて記憶されたユーザ情報に基づいて、前記原稿載置部に原稿を載置したユーザを特定し、当該ユーザに原稿の置き忘れを報知する報知手段とを備えることを特徴とする画像読み取り装置。
【請求項２】
種々の情報を表示する表示部をさらに備え、
前記報知手段は、前記特定したユーザが原稿を置き忘れていることを前記表示部に表示することを特徴とする請求項１記載の画像読み取り装置。
【請求項３】
通信ネットワークを介して接続された１又は複数の端末と通信するための通信手段をさらに備え、
前記報知手段は、前記特定したユーザが原稿を置き忘れていることを、当該ユーザの端末に前記通信手段を介して報知することを特徴とする請求項１記載の画像読み取り装置。
【請求項４】
前記第１及び第２の特徴情報は、前記第１及び第２の原稿画像のレイアウトを示すレイアウト情報であることを特徴とする請求項１〜３のいずれかに記載の画像読み取り装置。
【請求項５】
前記第１及び第２の特徴情報は、前記第１及び第２の原稿画像中に含まれる特定の文字列を示す画像であることを特徴とする請求項１〜３のいずれかに記載の画像読み取り装置。
【請求項６】
前記第１及び第２の特徴情報は、前記第１及び第２の原稿画像中に含まれる特徴的な画像であることを特徴とする請求項１〜３のいずれかに記載の画像読み取り装置。
【発明の詳細な説明】
【０００１】
【発明の属する技術分野】
本発明は、画像読み取り装置に関し、特に原稿の置き忘れをユーザに報知する技術に関する。
【０００２】
【従来の技術】
原稿載置部に載置された原稿を読み取り、得られた原稿画像に対し、画像処理等を施し、原稿のコピー画像を記録紙上に記録する複写機等においては、複写作業終了後に原稿載置部に原稿を置き忘れることがしばしば発生する。
【０００３】
かかる置き忘れを報知するために、センサを設け、原稿の置き忘れを検出する画像読み取り装置が開発されている。しかし、かかる画像読み取り装置は、上記センサを設ける分、コストが嵩むという問題があった。そこで、最終原稿を読み取ってから、所定時間経過後、再度スキャニングを行い、得られた画像と、最終原稿読み取り時に得られた画像との一致の有無を画像処理により判定し、原稿の置き忘れを検出する画像読取装置が開発されている（特許文献１）。
【０００４】
【特許文献１】
特開平１５−４６６９９号公報、段落２４、３２、３３等
【０００５】
【発明が解決しようとする課題】
しかしながら、従来の画像読み取り装置はいずれも、原稿の置き忘れをタッチパネルに表示したり警報を鳴らしたりすることにより報知するにとどまり、その原稿に対して誰がコピー作業を行ったのかの特定が全くなされておらず、原稿を置き忘れたユーザが置き忘れに気付かないケースがしばしばあった。さらに、置き忘れに気付かないまま長時間経過すると、当該原稿が紛失してしまうおそれもあった。
【０００６】
本発明は、上記課題を解決するために行われたものであり、原稿の置き忘れを、コピー作業を行った者により確実に知らせることができる画像読み取り装置を提供することを目的とする。
【０００７】
【課題を解決するための手段】
上記課題を解決するために、原稿載置部に載置された原稿を読み取るスキャナ部を備える画像読み取り装置であって、前記原稿載置部に原稿を載置したユーザに関する情報であるユーザ情報の入力を受け付けるユーザ情報受付手段と、前記ユーザ情報受付手段により前記ユーザ情報が受け付けられた後、前記原稿載置部に載置されている原稿を前記スキャナ部に読み取らせ、第１の原稿画像を取得するスキャニング実行手段と前記第１の原稿画像から、当該画像の特徴を示す第１の特徴情報を抽出する第１の特徴情報抽出手段と、前記第１の特徴情報と、前記ユーザ情報受付手段によって受け付けられたユーザ情報とを対応付けて記憶する記憶手段と、前記スキャニング実行手段による読み取りが終了し、所定時間経過時に前記原稿載置部に載置されている原稿を前記スキャナ部に読み取らせ、第２の原稿画像を取得する再スキャニング手段と、前記第２の原稿画像から、当該画像の特徴を示す第２の特徴情報を抽出する第２の特徴情報抽出手段と、前記第１の特徴情報と前記第２の特徴情報とに基づいて、前記第１の原稿画像と前記第２の原稿画像との同一性を判定する判定手段と、前記判定手段により同一性があると判定された場合、前記第１の特徴情報に対応づけて記憶されたユーザ情報に基づいて、前記原稿載置部に原稿を載置したユーザを特定し、当該ユーザに原稿の置き忘れを報知する報知手段とを備えることを特徴とする。
【０００８】
この構成によれば、ユーザ情報が受け付けられた後、第１の原稿画像が取得され、当該画像の特徴を示す第１の特徴情報が抽出され、ユーザ情報と対応付けて記憶される。そして、第１の原稿画像が取得された後、所定時間経過後に、再度原稿載置部に載置された原稿がスキャニングされ、第２の原稿画像が取得され、当該画像の特徴を示す第２の特徴情報が抽出され、第１の特徴情報と比較されて、第１の原稿画像と第２の原稿画像との同一性が判定され、原稿の置き忘れが判定される。そして、同一と判定された場合、第１の特徴情報と対応付けて記憶されたユーザ情報に基づいて、原稿載置部に原稿を載置したユーザが特定され、当該ユーザに原稿の置き忘れが報知される。
【０００９】
すなわち、原稿を載置した者（コピー作業者）が特定されて原稿の置き忘れが報知されるため、ユーザは原稿の置き忘れをより確実に知ることができる。
【００１０】
また、種々の情報を表示する表示部をさらに備え、前記報知手段は、前記特定したユーザが原稿を置き忘れていることを前記表示部に表示することが好ましい。この構成によれば、ユーザの原稿の置き忘れが表示部に表示されるため、置き忘れたユーザ自身が表示部を見た場合、すぐに自身が原稿を置き忘れたことを知ることができる。又、第３者が表示部を見た場合であっても、置き忘れたユーザが特定されているため、置き忘れたユーザは、その第３者からの伝言等により、原稿の置き忘れを知ることができる。
【００１１】
また、通信ネットワークを介して接続された１又は複数の端末と通信するための通信手段をさらに備え、前記報知手段は、前記特定したユーザが原稿を置き忘れていることを、当該ユーザの端末に前記通信手段を介して報知することが好ましい。この構成によれば、ユーザの端末に原稿の置き忘れが報知されるため、当該ユーザは、原稿の置き忘れをより確実に知ることができる。
【００１２】
また、前記第１及び第２の特徴情報は、前記第１及び第２の原稿画像のレイアウトを示すレイアウト情報であることが好ましい。この構成によれば、第１及び第２の原稿が、文字、写真、網点等の種々の画像要素により構成された複数の領域からなる場合、高速かつ、正確に、第１及び第２の原稿画像の同一性の有無を判定することができる。
【００１３】
また、前記第１及び第２の特徴情報は、前記第１及び第２の原稿画像中に含まれる特定の文字列を示す画像であってもよい。この構成によれば、スキャナ部が読み取った原稿が、主に文字列からなる場合、高速かつ正確に第１及び第２の原稿画像の同一性の有無を判定することができる。
【００１４】
また、前記第１及び第２の特徴情報は、前記第１及び第２の原稿画像中に含まれる特徴的な画像であることが好ましい。この構成によれば、スキャナ部が読み取った原稿が、図、写真、又はマーク等からなる場合、第１及び第２の画像の同一性有無を高速かつ正確に判定することができる。
【００１５】
【発明の実施の形態】
図１は、本発明に係る画像読み取り装置を画像読み取り部として備える複写機を用いたネットワークシステムの構成を示すブロック図である。図１に示すネットワークシステムは、ｎ台（ｎは整数）のＰＣ（パーソナルコンピュータ）１１（１０）、１２（１０）、・・・、１ｎ（１０）及び複写機２０を備えている。ＰＣ１０及び複写機２０は、ＬＡＮ（Ｌｏｃａｌ  Ａｒｅａ  Ｎｅｔｗｏｒｋ）ケーブルＣにより相互に通信可能に接続されている。このネットワークシステムでは、複写機２０は、読み取った画像を特定のＰＣ１０に送信することが可能である。
【００１６】
図２は、本発明に係る画像読み取り装置を画像読み取り部として備える複写機の全体構成図を示している。複写機２０は、矢印Ｄで示す方向に開閉自在に取り付けられたオートドキュメントフィーダ２０Ａと、上面に原稿載置部を有する本体部２０Ｂとを備えている。オートドキュメントフィーダ２０Ａは、複数枚の原稿Ｐが載置可能な原稿トレイ２１と、載置された原稿Ｐを１枚ずつピックアップする給紙ローラ対２２と、ピックアップされた原稿Ｐを原稿読取位置ＲＰまで搬送し、かつ、原稿Ｐの斜め送りを規制して原稿先端を整えるレジストローラ対２３とを備えている。レジストローラ対２３の近傍には、原稿Ｐの画像先端の原稿読取位置ＲＰへのタイミングを決定する際に用いられるタイミングスイッチ２４が配設されている。
【００１７】
本体部２０Ｂは、原稿読取位置ＲＰの下側に配設された光源２５と、原稿読取位置ＲＰにおける原稿Ｐの反射光をミラー２６、２７、２８及び集光レンズ２９を介して受光するラインＣＣＤ３０とを備えている。また、本体部２０Ｂの上面には、透明かつ平板状のコンタクトガラス３１が配設され、原稿載置部とされている。コンタクトガラス３１の原稿読取位置ＲＰの対応する位置には、本画像読み取り装置がシェーディング補正を行う際に用いられる白色かつ平板状のシェーディング板３２が取り付けられている。
【００１８】
原稿トレイ２１に載置された原稿Ｐを読み取る自動読み取りモードにおいては、光源２５は、固定状態で給紙ローラ対２２等によって１枚ずつ搬送される原稿Ｐに対し光を照射し、ＣＣＤ３０は、その反射光を例えば１ライン単位で読み取る。コンタクトガラス３１に載置された原稿を読み取る手動読み取りモードにおいては、光源２５は、原稿Ｐに対し光を照射しつつ、図略のモータによる駆動力を受けて、右方向に一定速度で移動し、ＣＣＤ３０は、その原稿Ｐからの反射光を例えば１ライン単位で読み取る。なお、光源２５は、例えば点線で示す光源２５´の位置まで移動すると、光の照射を停止し、図略のモータによる駆動力を受けて、左方向に一定速度で移動し、実線で示す光源２５の位置（ホームポジション）に戻される。オートドキュメントフィーダ２０Ａ及び上述した本体部２０Ｂの構成部材等により画像読み取り部が構成される。
【００１９】
さらに、本体部２０Ｂは、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０等を備える。
【００２０】
感光体ドラム２０５は、矢印方向に回転しながら帯電装置（図示省略）によって一様に帯電される。露光装置２０６は、ＣＣＤ３１において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００２１】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２０Ｂの排出口２０９から用紙後処理部３００に搬入される。また、記録紙は、必要に応じて排出トレイ２１０へも排出される。
【００２２】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２３】
さらに、本体部２０Ｂには、複写機２０を使用するユーザが所有するキーカードに記録されたデータを読み取るためのカード読み取り装置４０がケーブルを介して接続されている。キーカードは、例えば磁気カード、ＩＣカード等のデータを記録することができるカードであり、そのカードの所有者であるユーザのユーザＩＤを記録している。カード読み取り装置４０は、磁気カードリーダまたはＩＣカードリーダであり、カードスロット４１に装填されたＩＣカードに記録されたユーザＩＤを読み取り、複写機２０に出力する。なお、非接触式のＩＣカードを用いる場合は、カード読み取り装置４０は、筐体に所定の位置に設けられた所カード読み取り部にＩＣカードがかざされたとき、ＩＣカードに記録されたユーザＩＤを読み取る。
【００２４】
複写機２０は、カード読み取り装置４０により読み取られたユーザＩＤに基づいて、コピー作業を行うユーザが誰であるのかを特定を行い、コピー作業を行ったユーザが、どの時刻に、どのサイズの記録紙を何枚使用したか等を示すユーザの作業履歴を、複写機２０が備える記憶部（図略）に記憶させてもよい。
【００２５】
図３は、複写機２０が備える画像読み取り部のブロック図を示している。本画像読み取り部は、スキャナ制御部１００及びスキャナ部２００を備えている。
【００２６】
スキャナ制御部１００は、ＣＰＵ（中央処理装置）、ＲＯＭ（リードオンリーメモリ）、ＲＡＭ（ランダムアクセスメモリ）及び電子回路等から構成され、画像読み取り部を統括制御する。ＲＯＭには、画像読み取り部を制御するための制御プログラムが記憶されており、ＣＰＵは、この制御プログラムを実行することで、処理部１１０として機能し、ＲＯＭ及びＲＡＭを記憶部１２０として機能させる。スキャナ部２００は、図２で示すオートドキュメントフィーダ２０Ａ及び本体部２０Ｂの符号２５〜３１で示す部材が相当する。表示部５０は、例えば、液晶パネルから構成され、本体部２０Ｂの筐体側面に取り付けられている。
【００２７】
操作部６０は、表示部５０に表示されたタッチパネル及び筐体に取り付けられたボタン群から構成され、ユーザの操作指令を受け付ける。ボタン群としては、コンタクトガラス３１又は原稿トレイ２１に載置された原稿のスキャニングを開始させる「スタートボタン」、コピー枚数等の数字を入力する「テンキー」、コピー作業開始直前に設定した内容をデフォルトの設定に戻す「リセットボタン」等が含まれる。また、タッチパネルには、Ａ４、Ｂ５等の記録紙のサイズを指定するボタン等が表示されている。通信Ｉ／Ｆ７０は、１０ＢＡＳＥ／Ｔ、１００ＢＡＳＥ／ＴＸ等のＬＡＮケーブルに対応したＬＡＮボードである。
【００２８】
記憶部１２０は、画像メモリ１２１、ユーザ情報記憶部１２２及び特徴情報記憶部１２３を備えている。画像メモリ１２１は、スキャナ部２００で読み取られた１又は複数枚の原稿の画像データを記憶する。
【００２９】
ユーザ情報記憶部１２２は、図４に示すユーザテーブルＵＴを記憶する。ユーザテーブルＵＴには、ユーザＩＤと、各ユーザＩＤに対応するユーザ名と、そのユーザが所有するＰＣ１０のネットワークアドレスとが記載されている。ユーザＩＤとしては、本ネットワークシステムが会社のネットワークである場合は、例えば社員番号が、本ネットワークシステムが学校のネットワークである場合は、例えば学生番号が用いられる。なお、ユーザＩＤは、ユーザテーブルＵＴの主キーであり、テーブル内に同じデータが重複して存在しないように、各ユーザに対し一意に付与されている。
【００３０】
ネットワークアドレスとしては、本ネットワークシステムが、採用する通信プロトコルに応じたネットワークアドレス（例えば、ＴＣＰ／ＩＰではＩＰアドレス）が用いられる。ユーザ名としては、ユーザＩＤを有する者の個人名（苗字＋名前）が用いられている。なお、図４に示すユーザテーブルＵＴは、一例にすぎず、他のデータを備えてもよい。
【００３１】
特徴情報記憶部１２３は、図５に示す特徴情報テーブルＴＴを記憶している。特徴情報テーブルＴＴは、ユーザＩＤと各ユーザＩＤに対応する特徴情報とを記憶している。ユーザＩＤは、図４に示すユーザＩＤと同一である。特徴情報は、後述する最終原稿画像及び再スキャン画像の特徴を示す情報である。詳しくは後述する。
【００３２】
処理部１１０は、ユーザ情報受付部１１１、スキャニング実行部１１２、再スキャニング部１１３、特徴情報抽出部１１４、判定部１１５及び報知部１１６を備えている。
【００３３】
ユーザ情報受付部１１１は、ユーザテーブルＵＴを参照することにより、キーカード読み取り装置４０によって読み取られたユーザＩＤから、コピー作業を開始しようとするユーザのユーザ名及び当該ユーザが所有するＰＣ１０のネットワークアドレスを特定する。ここで、ユーザ情報受付部１１１は、読み取られたユーザＩＤに基づいて、コピー作業を開始しようとするユーザが複写機２０を使用する権限を有するか否かの認証を行ってもよい。この場合、ユーザ情報受付部１１１は、読み取られたユーザＩＤがユーザテーブルＵＴに記載されている場合は、当該ユーザは、複写機２０を使用する権限を有し、読み取られたユーザＩＤがユーザテーブルＵＴに記載されていない場合は、当該ユーザは使用する権限を有さないと判定すればよい。
【００３４】
スキャニング実行部１１２は、ユーザ情報受付部１１１によってユーザ名等が特定された後であって、「スタートボタン」が押された時、コンタクトガラス３１に載置された原稿をスキャナ部２００にスキャニングさせ、得られた原稿の画像の画像データを画像メモリ１２１に記憶させる。
【００３５】
再スキャニング部１１３は、ユーザによるコピー作業の終了を判定し、コピー作業終了時から所定時間経過時に、スキャナ部２００にスキャニングを実行させ、得られた画像を再スキャン画像（第２の原稿画像）として取得し、後述する特徴情報抽出部１１４により当該再スキャン画像から特徴情報を抽出させ、得られた特徴情報をユーザＩＤと対応付けて、特徴情報記憶部１２３に記憶させる。
【００３６】
ここで、再スキャニング部１１３は、ある原稿を読み取ってから所定時間経過しても、「スタートボタン」が押されなかった場合、コピー作業が終了したと判定する。
【００３７】
特徴情報抽出部１１４は、手動読み取りモードにおいて、最後に読み取られた原稿の画像である最終原稿画像（第１の原稿画像）を画像メモリ１２１から読み出し、当該最終原稿画像の特徴情報を抽出し、抽出した特徴情報をユーザＩＤと対応付けて特徴情報記憶部１２３に記憶させる。また、特徴情報抽出部１１４は、再スキャン画像についても特徴情報の抽出を行う。
【００３８】
図６は、特徴情報の一例を示した図であり、（ａ）は原稿の所定の領域の画像を特徴情報とした場合、（ｂ）は原稿のレイアウト示すレイアウト情報を特徴情報とした場合、（ｃ）は原稿の見出し等の特定の文字列からなる画像を特徴情報とした場合、（ｄ）は写真、図等の特徴的な画像を特徴情報とした場合を示している。そして、特徴情報抽出部１１４は、（ａ）〜（ｄ）に示すいずれか１つを特徴情報として採用することができる。（ａ）〜（ｄ）のうちのいずれを特徴情報として採用するかについては、例えば、ユーザによる設定により決定される。
【００３９】
原稿の所定の領域の画像を特徴情報とする場合、特徴情報抽出部１１４は、最終原稿画像及び再スキャン画像中の所定の位置を例えば左上の頂点とするＭ×Ｎ画素からなる矩形状の領域に含まれる画像を抽出し、得られた画像を特徴情報とする。（ａ）の例では、「Ａ」の文字と「１」の文字の一部からなる画像が特徴情報とされている。なお、所定の位置としては、例えば原稿の余白を除く左上の位置等が所定の位置とされる。
【００４０】
原稿のレイアウトを特徴情報とする場合、特徴情報抽出部１１４は、以下のようにして特徴情報を抽出する。まず、原稿がどのような要素（例えば、文字、網点、写真）から構成されているかを判定し、同一の要素からなる領域を１つの領域としてまとめ、各領域に対し、例えば、文字からなる領域については、文字領域、網点からなる領域は網点領域というように、その領域を構成する要素を用いて領域名を付与する。次に、各領域が原稿のどこに位置するかを調べ、領域名と位置とが対応付けられたレイアウト情報を作成し、特徴情報とする。（ｂ）の例では、原稿の左半分の領域が文字からなり、右半分の上１／３の領域が写真等の図画からなり、右半分の下２／３の領域が網点からなっているため、例えば「文字領域−左半分」「写真領域−右半分の上１／３」、「網点領域−右半分の下１／３」というようなレイアウト情報が作成される。
【００４１】
特定の文字列を特徴情報とする場合、特徴情報抽出部１１４は、原稿から特定の文字列を抽出し、その文字からなる画像を特徴情報とする。ここで、特定の文字列としては、原稿のヘッダーに記載された見出し、日付、文書の最初の文字、特許公報の公開番号を示す数字列等が該当する。すなわち、特定の文字列としては、その原稿の特徴を最も良く表している文字であって、慣習的に記載される位置が定められている文字列等が採用される。（ｃ）の例では、ヘッダー部に記載された「公開特許公報」の文字列、又は、「公開特許公報」の右下に記載された特許公開番号を示す「２０００−ｘｘｘ」からなる数字列が特定の文字列として抽出され、特徴情報とされる。
【００４２】
特徴的な画像を特徴情報とする場合、特徴情報抽出部１１４は、原稿から原稿に含まれる特徴的な画像を抽出し、抽出した特徴的な画像を特徴情報とする。ここで、１枚の原稿中に特徴的な画像が複数含まれている場合、面積の一番大きな画像や、単位面積あたりのエッジ強度が最も大きな画像を特徴情報として抽出すればよい。エッジ強度を求めるに際しては、例えばラプラシアンフィルタを用いればよい。
【００４３】
判定部１１５は、再スキャン画像から抽出された特徴情報と、特徴情報テーブルＴＴに記載され、最終原稿画像から抽出された特徴情報とを比較することにより、再スキャン画像と最終原稿画像との同一性の判定を行う。同一性の判定にあたっては、特徴情報が画像からなる場合は（上記レイアウト情報以外の場合）、テンプレートマッチング等の公知の手法を用いて特徴情報同士の同一性を判定することで、再スキャン画像と最終原稿画像との同一性を判定すればよい。また、特徴情報がレイアウト情報からなる場合は、レイアウト情報を構成する項目同士を比較することで、再スキャン画像と最終原稿画像との同一性を判定すればよい。
【００４４】
報知部１１６は、判定部１１５によって、最終原稿画像と再スキャン画像とが同一性を有すると判定された場合、当該最終原稿画像を載置したユーザがコンタクトガラス３１に原稿を置き忘れているとして、当該ユーザに原稿のそのことを報知する。ここで、報知部１１６は、当該ユーザが所有するＰＣ１０のＯＮ・ＯＦＦを調べ、ＯＮされている場合は、置き忘れていることを示すデータを当該ユーザのＰＣ１０に送信し、ＰＣ１０の表示部に置き忘れている旨を表示させるとともに、表示部５０に当該ユーザが原稿を置き忘れている旨を表示する。一方、当該ユーザの所有するＰＣ１０がＯＦＦされている場合は、置き忘れている旨を表示部５０のみに表示する。ＯＮ・ＯＦＦを調べるにあたっては、ユーザ情報受付部１１１で特定されたユーザのネットワークアドレスに対し、例えばＰＩＮＧコマンド（ネットワークプロトコルがＴＣＰ／ＩＰの場合）を送信し、ＰＣ１０からの応答データを基に調べればよい。また、置き忘れの表示としては、例えば「○○さん、コピー機に原稿を置き忘れています。」というような、文字列を表示すればよい。
【００４５】
図７は、本画像読み取り装置の動作を示すフローチャートである。ステップ１において、カード読み取り装置４０により、カードスロット４１に装填されたキーカードに記録されたユーザＩＤが読み取られ、ユーザ情報受付部１１１により、当該キーカードを所有するユーザのユーザ名及びネットワークアドレスが特定される。
【００４６】
ステップＳ２において、ユーザにより、原稿がコンタクトガラス３１に載置され、スタートボタンが押されると、スキャニング実行部１１２により、原稿が読み取られ、読み取られた原稿の画像データが画像メモリ１２１に記憶される。
【００４７】
ステップＳ３において、再スキャニング部１１３により、ユーザによるコピー作業の終了が判定される。
【００４８】
特徴情報抽出部１１４により、最終原稿画像から特徴情報が抽出され（ステップＳ４）、抽出された特徴情報と、ステップＳ１で得られたユーザＩＤとが対応付けられて、特徴情報記憶部１２３に記憶される（ステップＳ５）。
【００４９】
ステップＳ６において、再スキャニング部１１３により、コピー作業終了時から所定時間経過したか否かが判定され、所定時間経過した場合（ステップＳ６でＹＥＳ）、手動読み取りモードにおける再スキャンが実行され（ステップＳ７）、再スキャン画像が得られる。なお、上記所定時間としては、例えば５分が設定されている。
【００５０】
ステップＳ８において、特徴情報抽出部１１４により、再スキャン画像から特徴情報が抽出され、ステップＳ４で抽出された特徴情報と比較され、最終原稿画像と再スキャン画像との同一性が判定され、両画像が同一と判定された場合（ステップＳ８でＹＥＳ）、ステップＳ１で特定されたユーザは原稿を置き忘れていると判定され、ステップＳ９に進む。一方、ステップＳ８で両画像が同一と判定されなかった場合（ステップＳ８でＮＯ）、ステップＳ１で特定されたユーザは原稿を置き忘れていないと判定され処理が終了される。
【００５１】
ステップＳ９において、報知部１１６により、ステップＳ１で特定されたユーザが所有するＰＣ１０のＯＮ・ＯＦＦが調べられ、ＯＮされている場合（ステップＳ９でＹＥＳ）、当該ＰＣ１０の表示部及び表示部５０に「○○さんコピー機に原稿を置き忘れています。」と表示され、処理が終了される。一方、ステップＳ９において、当該ＰＣ１０がＯＦＦされている場合（ステップＳ９でＮＯ）、表示部５０のみに、「○○さんコピー機に原稿を置き忘れています。」と表示され、処理が終了される。
【００５２】
以上説明したように、本画像読み取り装置によれば、原稿を置き忘れた者が特定されて原稿の置き忘れが報知されるため、ユーザはより確実に原稿の置き忘れを知ることができる。また、特徴情報により最終原稿画像と再スキャン画像との同一性が判定されているため、処理の高速化を図ることができる。
【００５３】
なお、本発明は、以下の態様を採ることができる。
【００５４】
（１）上記実施形態では、本発明に係る画像読み取り装置を複写機に適用した場合を示したが、これに限定されず、ファクシミリ又はフラットベッドスキャナに適用してもよい。
【００５５】
（２）上記実施形態では、ユーザが所有するＰＣ１０の表示部に原稿の置き忘れを表示する態様を示したが、これに限定されず、ＰＣ１０に原稿の置き忘れたことを音声で報知させてもよい。
【００５６】
【発明の効果】
以上説明したように、本発明に係る画像読み取り装置によれば、原稿を載置した者（コピー作業者）が特定されて原稿の置き忘れが報知されるため、ユーザは原稿の置き忘れをより確実に知ることができる。
【図面の簡単な説明】
【図１】本発明に係る画像読み取り装置を画像読み取り部として備える複写機を用いたネットワークシステムの構成を示すブロック図である。
【図２】図２は、本発明に係る画像読み取り装置を画像読み取り部として備える複写機の全体構成図を示している。
【図３】複写機が備える画像読み取り部のブロック図を示している。
【図４】ユーザ情報記憶部に記憶されたユーザテーブルを示した図である。
【図５】特徴情報記憶部により記憶された特徴情報テーブル示した図である。
【図６】特徴情報の一例を示した図であり、（ａ）は原稿の所定の領域の画像を特徴情報とした場合、（ｂ）は原稿のレイアウト示すレイアウト情報を特徴情報とした場合、（ｃ）は原稿の見出し等の特定の文字列からなる画像を特徴情報とした場合、（ｄ）は写真、図等の特徴的な画像を特徴情報とした場合を示している。
【図７】本画像読み取り装置の動作を示すフローチャートである。
【符号の説明】
４０  カード読み取り装置
５０  表示部
６０  操作部
１００  スキャナ制御部
１１０  処理部
１１１  ユーザ情報受付部
１１２  スキャニング実行部
１１３  再スキャニング部
１１４  特徴情報抽出部
１１５  判定部
１１６  報知部
１２０  記憶部
１２１  画像メモリ
１２２  ユーザ情報記憶部
１２３  特徴情報記憶部
２００  スキャナ部
【図１】
2005051402.tif 000003
【図２】
2005051402.tif 000004
【図３】
2005051402.tif 000005
【図４】
2005051402.tif 000006
【図５】
2005051402.tif 000007
【図６】
2005051402.tif 000008
【図７】
2005051402.tif 000009